(57)【要約】【課題】  ＲＦ通信用マイクロ波コネクタのソケットを提供することにある。【解決手段】  上端部に筒状本体を設け、オス端子を具備したソケットの金属筐体の外周に嵌装するための金属筐体と、中央部分が凸起部を形成し、前記凸起部が前記金属筐体の内部に伸び込み、前記凸起部に中空部を設けた絶縁体を含み、前記中空部にメス端子を嵌装し、メス端子を具備したプラグも回路板上に結合するソケット用とすることができるため、更に幅広い用途を具えることを特徴とする。【選択図】    図７Ｂ
0003138156.tif 000002
【実用新案登録請求の範囲】
【請求項１】
回路板上に結合、及び、オス端子を具備するソケットに嵌装することに用いるＲＦ通信用マイクロ波コネクタのソケットであって、
その上端部に筒状本体を設け、前記筒状本体の上端部がその下端部と比較しても大きい口径を具備し、前記オス端子を具備するソケットの金属筐体の外周に嵌装する金属筐体と、
その中央部分が凸起部を形成し、前記凸起部が前記金属筐体の内部に伸び込み、前記凸起部に中空部を設けた絶縁体、及び、
前記絶縁体の外部まで伸出している片体、及び、前記中空部内に収容され、前記オス端子を具備するソケットのオス端子の外側に嵌装するための両接触片を包括するメス端子を含むことを特徴とする、ＲＦ通信用マイクロ波コネクタのソケット。
【請求項２】
請求項１に記載のＲＦ通信用マイクロ波コネクタのソケットにおいて、前記筒状本体の上端部に複数の嵌合片を設け、これら嵌合片の隣接側間に各々隙間を有し、これら嵌合片の上端部が各々前記筒状本体の外側に向かって拡張することを特徴とする、ＲＦ通信用マイクロ波コネクタのソケット。
【請求項３】
請求項２に記載のＲＦ通信用マイクロ波コネクタのソケットにおいて、前記絶縁体の底端部に前記中空部と連結する凹溝を設け、前記凹溝が前記片体に結合することを特徴とする、ＲＦ通信用マイクロ波コネクタのソケット。
【請求項４】
請求項３に記載のＲＦ通信用マイクロ波コネクタのソケットにおいて、前記金属筐体の下端部に外側に向かって延伸する複数の耳片を設け、前記絶縁体の底端部に各々前記複数の耳片に結合するため、前記複数の耳片と対応する複数の凹溝を設け、前記複数の耳片が各々前記絶縁体の外部まで伸出ていることを特徴とする、ＲＦ通信用マイクロ波コネクタのソケット。
【請求項５】
請求項４に記載のＲＦ通信用マイクロ波コネクタのソケットにおいて、前記筒状本体の上端部に３枚の前記嵌合片を設けることを特徴とする、ＲＦ通信用マイクロ波コネクタのソケット。
【請求項６】
請求項１〜５のいずれかに記載のＲＦ通信用マイクロ波コネクタのソケットにおいて、前記中空部の断面が長方形を呈し、前記両接触片が前記片体の両側から各々上方に向かって折り曲がることからなるものを特徴とする、ＲＦ通信用マイクロ波コネクタのソケット。
【請求項７】
請求項６に記載のＲＦ通信用マイクロ波コネクタのソケットにおいて、前記片体が前区間を具備し、前記絶縁体の底端部に前記前区間に結合するため、前記前区間と対応する凹溝を設けることを特徴とする、ＲＦ通信用マイクロ波コネクタのソケット。
【請求項８】
請求項１〜５のいずれかに記載のＲＦ通信用マイクロ波コネクタのソケットにおいて、前記中空部の断面が円形を呈し、前記片体が前区間を具備し、前記両接触片が前記前区間から上方に向かって折り曲げ、前記前区間の両側が前記片体に接近する方向に向かって対向して折り曲がる筒状を呈することからなり、前記両接触片を隔離させるため、前記両接触片の隣接側に隙間を具備することを特徴とする、ＲＦ通信用マイクロ波コネクタのソケット。
【請求項９】
請求項１〜５のいずれかに記載のＲＦ通信用マイクロ波コネクタのソケットにおいて、前記中空部の断面が円形を呈し、前記片体が前区間を具備し、前記両接触片が前記前区間から上方に向かって折り曲がり、前記前区間の両側が前記片体から離れる方向に向かい対向して折り曲がる筒状を呈することからなり、前記両接触片を隔離させるため、前記両接触片の隣接側に隙間を具備することを特徴とする、ＲＦ通信用マイクロ波コネクタのソケット。
【請求項１０】
請求項１〜５のいずれかに記載のＲＦ通信用マイクロ波コネクタのソケットにおいて、前記中空部の断面が円形を呈し、前記片体が前区間を具備し、前記両接触片が前記前区間から上方に向かって引抜き成形されたものであり、前記両接触片を隔離させるため、前記両接触片の隣接側に隙間を具備することを特徴とする、ＲＦ通信用マイクロ波コネクタのソケット。
【考案の詳細な説明】
【技術分野】
【０００１】
本考案は電気コネクタに関し、特に、ＲＦ(Ｒａｄｉｏ  Ｆｒｅｑｕｅｎｃｙ)通信用マイクロ波コネクタのソケットに関する。
【背景技術】
【０００２】
出願者がかつて出願並びにすでに許可された特許文献１とは、当該コネクタにプラグ及びソケットを含む。前記プラグは金属筐体を具備し、金属筐体が絶縁体と結合し、絶縁体の中空部がメス端子と結合し、メス端子が本体を具え、本体の一端の両側からオス端子を挟持するための対向接触片を延伸し、本体の他端が円弧状の挟持区間を具備し、挟持区間の両側が対称性の円弧状折り曲げを呈し、前記挟持区間が同軸ケーブルの内部導線と結合する作業において、挟持区間の両側が平滑に対向して折り曲がりることで、安定的に内部導線を挟むことができる。図５Ａ、５Ｂを見ると、前記ソケット１０が金属筐体１１を具備し、金属筐体１１の下端部に外側に向かって延伸する複数の耳片１１１、１１２、１１３を設け、絶縁体１２の凹溝１２１、１２２、１２３が各々耳片１１１、１１２、１１３と結合し、耳片１１１、１１２、１１３が絶縁体１２の外部まで伸び、絶縁体１２の中央部分が凸起部１２４を形成し、凸起部１２４が金属筐体１１の内部に伸び込み、凸起部１２４の中空部１２５がオス端子１３と結合し、オス端子１３の下端部にその一側に向かって折り曲がる接触片１３１を設け、絶縁体１２底端部の凹溝１２６が接触片１３１に結合し、且つ接触片１３１が絶縁体１２の外部まで伸出している。
【０００３】
従来のコネクタのプラグはメス端子を具備し、且つ同軸ケーブルと結合し、またソケットがオス端子を具備して回路板上に結合させることに用い、例えば特許文献２と特許文献３で開示しているものである。
【０００４】
【特許文献１】米国特許第７，２１７，１５６号の“ＲＦ通信用マイクロ波用コネクタ、ＲＦ ｍｉｃｒｏｗａｖｅ ｃｏｎｎｅｃｔｏｒ ｆｏｒ ｔｅｌｅｃｏｍｍｕｎｉｃａｔｉｏｎ”
【特許文献２】米国特許第５，７７２，４７０号
【特許文献３】米国特許第７，２１７，１５６号
【考案の開示】
【考案が解決しようとする課題】
【０００５】
本考案の主要な目的は、回路板上に結合させるソケットがメス端子を具備し、従来のメス端子を具備するプラグの用途を更に幅広くさせるＲＦ通信用マイクロ波コネクタのソケットを提供することにある。
【０００６】
本考案の別の目的は、複数のオス、メス端子の間の差込作業を利便にさせるため、回路板上に結合し、メス端子を具備する複数のソケットと他の回路板上にオス端子を具備する複数のソケットを各々同時に差し込まれるＲＦ通信用マイクロ波コネクタのソケットを提供することにある。
【課題を解決するための手段】
【０００７】
上記の目的を達成するため、メス端子を具備したプラグも回路板上に結合させてソケット用とすることで、メス端子を具備するプラグの用途を更に幅広くさせることにある。
【０００８】
本考案の目的、効果について理解していただくため、実施例を介し付属の図面を組み合わせることで、本考案に対する詳細な説明を以下のとおり行うものである。
【考案を実施するための最良の形態】
【０００９】
図１Ａ、１Ｂ、１Ｃを見ると、本考案のＲＦ通信用マイクロ波コネクタのソケットは、メス端子を具備するソケットを回路板上に結合させることができ、及びオス端子を具備するソケットに差し込まれたものである。本考案の第１実施例のソケット２０は、金属筐体２１、絶縁体２２及びメス端子２３によって組成する。
【００１０】
金属筐体２１の下端部に外側に向かって延伸する複数の耳片２１１、２１２、２１３を設け、金属筐体２１の上端部に筒状本体２１４を設け、筒状本体２１４の上端部に複数の嵌合片２１５、２１６、２１７を設け、複数の嵌合片２１５、２１６、２１７の隣接側間に各々隙間２１8を有し、複数の嵌合片２１５、２１６、２１７の上端部が各々筒状本体２１４の外側に向かって拡張し、筒状本体２１４の上端部が下端部と比べて比較的大きい口径を具備させることで、オス端子を具備するソケットの金属筐体の外周に嵌装する。本実施例の筒状本体２１４は、３枚の嵌合片２１５、２１６、２１７を具備する。
【００１１】
絶縁体２２の下端部に凹溝２２１、２２２、２２３を設け、凹溝２２１、２２２、２２３が各々対応する耳片２１１、２１２、２１３に結合し、絶縁体２２の中央部分が凸起部２２４を形成し、凸起部２２４が金属筐体２１の内部に伸び込み、凸起部２２４に断面が長方形を呈する中空部２２５を設け、絶縁体２２の底端部に中空部２２５と連結する両凹溝２２６、２２７を別途設ける。
【００１２】
メス端子２３には、片体２３１及び両接触片２３２、２３３を含み、両接触片２３２、２２３は片体２３１の両側から各々上方に向かって折り曲げからなる。両接触片２３２、２３３が絶縁体２２の中空部２２５内に収容されることで、オス端子を具備するソケットのオス端子の外側に嵌装する。絶縁体２２の凹溝２２６、２２７が各々片体２３１及びその前区間２３４に結合し、且つ片体２３１は絶縁体２２の外部まで伸出している。
【００１３】
図１Ｃ、２Ａ、２Ｂ、２Ｃを見ると、本考案の第２実施例のソケット３０は、金属筐体３１、絶縁体３２及びメス端子３３によって組成される。
【００１４】
金属筐体３１は第１実施例の金属筐体２１と同じように、複数の耳片３１１、３１２、３１３及び筒状本体３１４を設け、筒状本体３１４の上端部に複数の嵌合片３１５、３１６、３１７及び複数の隙間３１8を設けている。
【００１５】
絶縁体３２は、第１実施例の絶縁体２２と近似し、凹溝３２１、３２２、３２３、３２６及び凸起部３２４を設けているが、凸起部３２４に断面が円形を呈する中空部３２５を設けている。金属筐体３１と絶縁体３２の結合方式は、第１実施例の金属筐体２１と絶縁体２２の結合方式と同じである。
【００１６】
メス端子３３には、片体３３１及び両接触片３３２、３３３を含み、両接触片３３２、３２３は片体３３１の前区間３３４が先に上方に向かって折り曲がり、前区間３３４の両側を片体３３１の方向に向かって対向して折り曲がることで筒状を呈するものであり、両接触片３３２、３３３を隔離させるため、両接触片３３２、３３３の隣接側に隙間３３５を具備し、両接触片３３２、３３３が絶縁体３２の中空部３２５内に収容され、オス端子を具備するソケットのオス端子の外側に嵌装する。絶縁体３２の凹溝３２６が片体３３１に結合し、且つ片体３３１が絶縁体３２の外部まで伸出している。
【００１７】
１Ｃ、３Ａ、３Ｂ、３Ｃを見ると、本考案の第３実施例のソケット４０は、金属筐体４１、絶縁体４２及びメス端子４３によって組成される。
【００１８】
金属筐体４１は、第１実施例の金属筐体２１と同じように、複数の耳片４１１、４１２、４１３及び筒状本体４１４を設け、筒状本体４１４の上端部に複数の嵌合片４１５、４１６、４１７及び複数の隙間４１８を設けている。
【００１９】
絶縁体４２は、第１実施例の絶縁体２２と近似し、凹溝４２１、４２２、４２３、４２６及び凸起部４２４を設けているが、凸起部４２４に断面が円形を呈する中空部４２５を設けている。金属筐体４１と絶縁体４２の結合方式は、第１実施例の金属筐体２１と絶縁体２２の結合方式と同一である。
【００２０】
メス端子４３には、片体４３１及び両接触片４３２、４３３を含み、両接触片４３２、４３３は片体４３１の前区間４３４が先に上方に向かって折り曲がり、前区間４３４の両側を片体４３１から離れる方向に向かって対向して折り曲がることで筒状を呈するものであり、両触片４３２、４３３を隔離させるため、両接触片４３２、４３３の隣接側に隙間４３５を具備し、両接触片４３２、４３３が絶縁体４２の中空部４２５内に収容され、オス端子を具備するソケットのオス端子の外側に嵌装する。絶縁体４２の凹溝４２６が片体４３１に結合し、且つ片体４３１が絶縁体４２の外部まで伸出している。
【００２１】
図１Ｃ、４Ａ、４Ｂ、４Ｃを見ると、本考案の第４実施例のソケット５０は、金属筐体５１、絶縁体５２及びメス端子５３によって組成される。
【００２２】
金属筐体５１は、第１実施例の金属筐体２１と同じように、複数の耳片５１１、５１２、５１３及び筒状本体５１４を設け、筒状本体５１４の上端部に複数の嵌合片５１５、５１６、５１７及び複数の隙間５１8を設けている。
【００２３】
絶縁体５２は、第１実施例の絶縁体２２と近似し、凹溝５２１、５２２、５２３、５２６及び凸起部５２４を設けているが、凸起部５２４は断面が円形を呈する中空部５２５を設置している。金属筐体５１と絶縁体５２の結合方式は、第１実施例の金属筐体２１と絶縁体２２の結合方式と同一である。
【００２４】
メス端子５３には、片体５３１及び両接触片５３２、５３３を含み、両接触片５３２、５３３は片体５３１の前区間５３４が上方に向かって引抜き成形ものであり、両接触片５３２、５３３を隔離させるため、両接触片５３２、５３３の隣接側に隙間５３５を具備し、両接触片５３２、５３３が絶縁体５２の中空部５２５内に収容され、オス端子を具備するソケットのオス端子の外側に嵌装する。絶縁体５２の凹溝５２６が片体５３１に結合し、且つ片体５３１が絶縁体５２の外部まで伸出している。
【００２５】
図１Ｃ、５Ｂ、６Ａ、６Ｂ、７Ａ、７Ｂを見ると、既知のオス端子１３を具備したソケット１０は、回路板６１に結合するために用いる。また本考案ソケット２０の底端部も回路板６２上に結合でき、且つ図６Ａ、７Ａに示すように金属筐体２１の耳片２１１、２１２、２１３及びメス端子２３の片体２３１が各々回路板６２上の導線と電気的に接続することで、メス端子２３を具備するソケット２０を回路板６２上に結合させることができる。一般的な同軸ケーブルと結合することではない。
【００２６】
図６Ｂ、７Ｂに示すように本考案のメス端子２３の両接触片２３２、２３３は、オス端子１３の外側に嵌装でき、また金属筐体２１が複数の嵌合片を具備することで、既知のソケット１０を金属筐体１１の外周に嵌装でき、本考案のソケット２０と既知のソケット１０を結合させる。回路板６１が複数の既知のオス端子１３を具備するソケット１０に結合し、回路板６２が複数の本考案のメス端子２３を具備するソケット２０を結合させた時、両回路板６１、６２の相互接近を利用することで、複数の既知ソケット１０を同時に各々本考案の複数のソケット２０と結合させることができる。
【００２７】
本考案は、メス端子を具備したプラグも回路板上に結合させてソケットの用途とすることができるため、更に幅広い用途を具備し、また回路板上に結合したメス端子を具備する複数のソケットがもう一つの回路板上のオス端子を具備する複数ソケットに同時に差し込まれることで、複数のオス、メス端子間の差込作業に利便となる。
【００２８】
上記に開示した内容は、本考案の技術内容を利用した実施例のみであり、任意の当該技術を熟知する者が本考案の精神を逸脱しない範囲内において種々の改良変更をなし得ることは勿論であり、実施例で開示したもののみに限定しないものとする。
【図面の簡単な説明】
【００２９】
【図１Ａ】本考案第１実施例ソケットのメス端子と絶縁体の分離状態を呈した立体  見取図である。
【図１Ｂ】本考案第１実施例ソケットの底部から上方に向かう立体見取図である。
【図１Ｃ】本考案第１実施例ソケットの立体見取図である。
【図２Ａ】本考案第２実施例ソケットのメス端子と絶縁体の分離状態を呈した立体見取図である。
【図２Ｂ】本考案第２実施例ソケットの底部から上方に向かう立体見取図である。
【図２Ｃ】本考案第２実施例ソケットの立体見取図である。
【図３Ａ】本考案第３実施例ソケットのメス端子と絶縁体の分離状態を呈した立体見取図である。
【図３Ｂ】本考案第３実施例ソケットの底部から上方に向かう立体見取図である。
【図３Ｃ】本考案第３実施例ソケットの立体見取図である。
【図４Ａ】本考案第４実施例ソケットのメス端子と絶縁体の分離状態を呈した立体見取図である。
【図４Ｂ】本考案第４実施例ソケットの底部から上方に向かう立体見取図である。
【図４Ｃ】本考案第４実施例ソケットの立体見取図である。
【図５Ａ】既知のオス端子を具備したソケットの底部から上方に向かう立体見取図である。
【図５Ｂ】既知のオス端子を具備したソケットの立体見取図である。
【図６Ａ】本考案第１実施例ソケット及びオス端子を具備したソケットの分離状態を呈した第１種断面見取図である。
【図６Ｂ】本考案第１実施例ソケット及びオス端子を具備したソケットの結合状態を呈した第１種断面見取図である。
【図７Ａ】本考案第１実施例ソケット及びオス端子を具備したソケットの分離状態を呈した第２種断面見取図である。
【図７Ｂ】本考案第１実施例ソケット及びオス端子を具備したソケットの結合状態を呈した第２種断面見取図である。
【符号の説明】
【００３０】
１０、２０、３０、４０、５０  ソケット
１１、２１、３１、４１、５１  金属筐体
１１１、１１２、１１３、２１１、２１２、２１３、３１１、３１２、３１３、４１１、４１２、４１３、５１１、５１２、５１３  耳片
１２、２２、３２、４２、５２  絶縁体
１２１、１２２、１２３、１２６、２２１、２２２、２２３、２２６、２２７、３２１、３２２、３２３、３２６、４２１、４２２、４２３、４２６、５２１、５２２、５２３、５２６                        凹溝
１２４、２２４、３２４、４２４、５２４  凸起部
１２５、２２５、３２５、４２５、５２５  中空部
１３    オス端子
１３１  接触片
２１５、２１６、２１７、３１５、３１６、３１７、４１５、４１６、４１７、５１５、５１６、５１７  嵌合片
２１8、３１8、３３５、４１8、４３５、５１8、５３５   隙間
２３、３３、４３、５３  メス端子
２３１、３３１、４３１、５３１  片体
２３２、２３３、３３２、３３３、４３２、４３３、５３２、５３３ 接触片
２３４、３３４、４３４、５３４  前区間
６１、６２ 回路板
【図１Ａ】
0003138156.tif 000003
【図１Ｂ】
0003138156.tif 000004
【図１Ｃ】
0003138156.tif 000005
【図２Ａ】
0003138156.tif 000006
【図２Ｂ】
0003138156.tif 000007
【図２Ｃ】
0003138156.tif 000008
【図３Ａ】
0003138156.tif 000009
【図３Ｂ】
0003138156.tif 000010
【図３Ｃ】
0003138156.tif 000011
【図４Ａ】
0003138156.tif 000012
【図４Ｂ】
0003138156.tif 000013
【図４Ｃ】
0003138156.tif 000014
【図５Ａ】
0003138156.tif 000015
【図５Ｂ】
0003138156.tif 000016
【図６Ａ】
0003138156.tif 000017
【図６Ｂ】
0003138156.tif 000018
【図７Ａ】
0003138156.tif 000019
【図７Ｂ】
0003138156.tif 000020